(57)【要約】      （修正有）【課題】軽量でコンパクト化が可能であり持ち運びが容易な標示装置及び標示装置で使用する支持具を提供する。【解決手段】標示装置２は、支持具と標示シート６０で構成され、支持具は、標示シート６０が取付けられるシート取付部１１と、シート取付部１１に連結しシート取付部１１を起立状態に支持する支持部とを有するフレーム１０と、フレーム１０に設けられた又はフレーム１０に取付けられた、コーン１００に係止する係止手段と、を備え、フレーム１０及び係止手段は、管と管継手とで形成され、フレーム１０が上フレーム２０と中フレームと下フレーム４０とに分解可能に構成される。標示シート６０は、標示が付された折り畳み又は丸めることが可能な垂れ幕状である。【選択図】図８
0003231708.tif 000002
【実用新案登録請求の範囲】
【請求項１】
コーンに係止させ使用する、標示シートを支持する支持具であって、
前記標示シートが取付けられるシート取付部と、前記シート取付部に連結し前記シート取付部を起立状態に支持する支持部とを有するフレームと、
前記フレームに設けられた又は前記フレームに取付けられた、前記コーンに係止する係止手段と、
を備え、
前記フレーム及び前記係止手段は、管と管継手とで形成され、
前記フレームは、上フレームと中フレームと下フレームとに分解可能に構成され、
前記上フレームと前記中フレーム、前記中フレームと前記下フレームとの連結部は、管が管継手に差し込まれ着脱自在に連結されていることを特徴とする支持具。
【請求項２】
前記係止手段は、
前記フレームの支持部に設けられた、前記コーンの下部を囲む嵌合枠と、
前記フレームに取付けられた、前記コーンの頂部に設けられた凹部に係止する係止アームと、
を有することを特徴とする請求項１に記載の支持具。
【請求項３】
前記係止アームは、前記フレームに回動自在に取付けられていることを特徴とする請求項２に記載の支持具。
【請求項４】
前記上フレームは、横桟と縦桟とでコ字状に形成され、前記縦桟の長さを変更可能に構成されていることを特徴とする請求項１から３のいずれか１項に記載の支持具。
【請求項５】
請求項１から４のいずれか1項に記載の支持具と、
標示が付された折り畳み又は丸めることが可能な垂れ幕状の標示シートと、
を有することを特徴とする標示装置。
【請求項６】
前記標示シートは、メッシュ状の部材からなることを特徴とする請求項５に記載の標示装置。
【考案の詳細な説明】
【技術分野】
【０００１】
本考案は、道路や歩道等に設置される標示装置に関する。
【背景技術】
【０００２】
道路・歩道工事、あるいは建設現場等では、通行人や車両に対して工事中、通行止めなどの情報を標示する標示板、危険な場所への立ち入りを禁止する標示板、迂回ルートを示す標示板など種々の標示板が使用される。このような標示板は、使い勝手の良さから自立式のものが多く使用される。
【０００３】
一般的な自立式の標示板は、木製・金属製の枠の表面に金属製の板が取付けられ、板に「通行止め」などの標示が付された標示部と、標示部に連結し標示部を斜めに立て掛けた状態で支持する脚を備える支持部とで構成される。従来の代表的な標示板は、表示部の大きさが高さ１４００ｍｍ、幅が５５０ｍｍである。なお標示板は、標示装置、立て看板、標識板、案内板、案内標識などの名称でも呼ばれている。
【０００４】
自立式の標示板を安定的に設置するにはある程度の重量が必要である。軽い標示板は風で吹き飛ばされる。以上の点から従来の標示板は、比較的大きくまた重く、持ち運び、車両への積み込みなどが課題の１つとされている。この課題を解決するために標示部に網目状のネット生地を用いたネット生地タイプの立看板装置（例えば特許文献１参照）、コンパクトに折り畳むことができる折り畳み式看板が考案されている（例えば特許文献２参照）。
【先行技術文献】
【特許文献】
【０００５】
【特許文献１】実用新案登録第３０７６５６３号公報
【特許文献２】実用新案登録第３２１８８０７号公報
【考案の概要】
【考案が解決しようとする課題】
【０００６】
特許文献１に記載のネット生地タイプの立看板装置は、標識を表示する部分をネット生地としているので軽量化することができる。一方、ネット生地を支持する枠は、従来の立看板と基本的に同じ構造であり、コンパクト化については改善が必要である。
【０００７】
特許文献２に記載の折り畳み式看板は、看板部等に中空構造の合成樹脂を使用しているため軽量化することができる。さらに看板部を支持する支持部を折り畳み構造としているため支持部をコンパクト化することができる。一方、看板部は、特にコンパクト化可能な構造となっておらず、立看板全体をコンパクト化するにはさらなる改善が必要である。
【０００８】
本考案の目的は、軽量でコンパクト化が可能であり持ち運びが容易な標示装置及び標示装置で使用する支持具を提供することである。
【課題を解決するための手段】
【０００９】
本考案は、コーンに係止させ使用する、標示シートを支持する支持具であって、前記標示シートが取付けられるシート取付部と、前記シート取付部に連結し前記シート取付部を起立状態に支持する支持部とを有するフレームと、前記フレームに設けられた又は前記フレームに取付けられた、前記コーンに係止する係止手段と、を備え、前記フレーム及び前記係止手段は、管と管継手とで形成され、前記フレームは、上フレームと中フレームと下フレームとに分解可能に構成され、前記上フレームと前記中フレーム、前記中フレームと前記下フレームとの連結部は、管が管継手に差し込まれ着脱自在に連結されていることを特徴とする支持具である。
【００１０】
本考案に係る支持具において、前記係止手段は、前記フレームの支持部に設けられた、前記コーンの下部を囲む嵌合枠と、前記フレームに取付けられた、前記コーンの頂部に設けられた凹部に係止する係止アームと、を有することを特徴とする。
【００１１】
本考案に係る支持具において、前記係止アームは、前記フレームに回動自在に取付けられていることを特徴とする。
【００１２】
本考案に係る支持具において、前記上フレームは、横桟と縦桟とでコ字状に形成され、前記縦桟の長さを変更可能に構成されていることを特徴とする。
【００１３】
本考案は、前記支持具と、標示が付された折り畳み又は丸めることが可能な垂れ幕状の標示シートと、を有することを特徴とする標示装置である。
【００１４】
本考案に係る標示装置において、前記標示シートは、メッシュ状の部材からなることを特徴とする。
【考案の効果】
【００１５】
本考案によれば、軽量でコンパクト化が可能であり持ち運びが容易な標示装置及び標示装置で使用する支持具を提供することができる。
【図面の簡単な説明】
【００１６】
【図１】本考案の第１実施形態の支持具１の正面図である。
【図２】本考案の第１実施形態の支持具１を正面側から見た斜視図である。
【図３】本考案の第１実施形態の支持具１の上フレーム２０を取り外した状態を示す斜視図である。
【図４】本考案の第１実施形態の支持具１の上フレーム２０を取り外した状態を示す斜視図である。
【図５】本考案の第１実施形態の支持具１の中フレーム３０、下フレーム４０の外観図である。
【図６】本考案の第１実施形態の支持具１の分解図である。
【図７】本考案の第２実施形態の標示装置２の正面図である。
【図８】本考案の第２実施形態の標示装置２を正面側から見た斜視図である。
【図９】本考案の第２実施形態の標示装置２を背面側から見た斜視図である。
【図１０】本考案の第２実施形態の標示装置２の分解図である。
【図１１】本考案の第２実施形態の標示装置２を分解し持ち運ぶ様子を示す図である。
【考案を実施するための形態】
【００１７】
図１は、本考案の第１実施形態の支持具１の正面図、図２は、本考案の第１実施形態の支持具１を正面側から見た斜視図、図３は、本考案の第１実施形態の支持具１の上フレーム２０を取り外した状態を示す斜視図、図４は、本考案の第１実施形態の支持具１の上フレーム２０を取り外した状態を示す斜視図、図５は、本考案の第１実施形態の支持具１の中フレーム３０、下フレーム４０の外観図、図６は、本考案の第１実施形態の支持具１の分解図である。図又は明細書中のＸ軸、Ｙ軸、Ｚ軸、Ｘ方向、Ｙ方向、Ｚ方向は、３次元直交座標系のＸ軸、Ｙ軸、Ｚ軸、Ｘ軸方向、Ｙ軸方向、Ｚ軸方向に相当する。
【００１８】
本考案の第１実施形態の支持具１は、第２実施形態に示す代表的には道路工事の際に工事現場近くに設置され情報を知らしめる標示装置２で使用する、垂れ幕状の標示シート６０を支持する支持具である。
【００１９】
支持具１は、標示シート６０を支持するシート取付部１１と、シート取付部１１を起立状態に保持する支持部１３とを備えるフレーム１０と、フレーム１０に取付けられた、コーン１００に係止する係止手段とを備える。支持具１は、使用の際にはコーン１００に係止させるが、Ｌ字形状を有しコーン１００に係止させない状態でも自立可能である。
【００２０】
フレーム１０は、上フレーム２０と中フレーム３０と下フレーム４０に分割可能に構成され、上フレーム２０と中フレーム３０と下フレーム４０とが連結された状態で使用される。
【００２１】
フレーム１０は、樹脂製のパイプと、パイプをつなぐ樹脂製の管継手（エルボ、Ｔ字管）とで形成されている。フレーム１０をパイプと管継手とを用いて形成することで軽量化及び分割構造が容易に実現できる。フレーム１０を構成するパイプ及び管継手は、樹脂製に限定されるものでないが、部材は軽量で安価であり、加工が容易なものが好ましい。樹脂製のパイプ及び管継手に代えて、軽量な金属製のパイプ及び管継手を用いてもよい。
【００２２】
上フレーム２０は、Ｘ方向に伸びる上横桟２２、上横桟２２に連結し−Ｙ方向に平行に伸びる左右一対の上縦桟２３からなり、コ字形状を有する。上フレーム２０を構成するパイプ及び管継手は接着固定されている。
【００２３】
中フレーム３０は、Ｘ方向に伸びる中横桟３１及び下横桟３２、中横桟３１と下横桟３２とに連結しＹ方向に伸びる左右一対の中縦桟３３、中縦桟３３に連結し−Ｙ方向に伸びる左右一対の下縦桟３４を有する。中フレーム３０を構成するパイプ及び管継手は、後述の分岐管５２を除き接着固定されている。中横桟３１の位置（高さ）は、後述の係止アーム５０との関係で特定されている。これについては係止アーム５０のところで説明する。
【００２４】
下フレーム４０は、Ｚ方向に伸びる平面視においてコ字状の脚４１を有する。脚４１には、Ｘ方向に伸びる桟４２が取付けられ、脚４１と桟４２とで正方形の嵌合枠４３を形成する。この嵌合枠４３は、使用の際にコーン１００のベッド１２０の上に載置し、コーン１００の下部１０５を囲むように嵌め込まれる。下フレーム４０を構成するパイプ及び管継手は接着固定されている。
【００２５】
ここでコーン１００は、道路・工事現場などに設置し、通行者・車両の立ち入り等を禁止するために使用される円錐形状の一般的なコーンである。なおコーン１００は、ロードコーン、セーフティコーン、カラーコーン（登録商標）、パイロンとも呼ばれる。図２に示されるコーン１００は、重りとなるベッド１２０を一体的に備えるが、コーンとコーンベッドとが別体のものであってもよい。
【００２６】
中フレーム３０の上端にはＴ字管３６が配され、ここに上フレーム２０の上縦桟２３が差し込まれ、上フレーム２０と中フレーム３０とが着脱自在に連結される。下フレーム４０の前面端部にはＴ字管４６が配され、ここに中フレーム３０の下縦桟３４が差し込まれ、中フレーム３０と下フレーム４０とが着脱自在に連結される。
【００２７】
係止手段は、下フレーム４０に設けられた嵌合枠４３と、中フレーム３０の取付けられた係止アーム５０とからなる。係止手段は、フレーム１０をコーン１００に係止させることでフレーム１０の転倒を防止する転倒防止手段ということができる。
【００２８】
嵌合枠４３は、使用の際にコーン１００のベッド１２０の上に載置し、コーン１００の下部１０５を囲むように嵌め込め込まれ、コーン１００に係止する。
【００２９】
係止アーム５０は、コーン１００の頂部に設けられた凹部１１０に係止する部位であり、Ｌ字形状を有し、中横桟３１の中央部に配された分岐管（Ｔ字管）５２に連結しＺ方向に伸びるアーム５３と、アーム５３の先端に設けられ一端が−Ｙ方向に伸びる鉤部５５とからなる。本実施形態ではパイプの先端に下向きに取付けられたエルボが鉤部５５である。係止アーム５０は、下フレーム４０の嵌合枠４３をコーン１００に嵌め入れたとき鉤部５５がコーン１００の頂部に設けられた凹部１１０に係止するようにアーム５３の長さ及び中横桟３１の高さが決められている。
【００３０】
本実施形態では分岐管（Ｔ字管）５２は、中横桟３１を構成する左右のパイプに対し回動可能に差し込まれた状態で連結している。分岐管（Ｔ字管）５２を回動自在とすることで係止アーム５０は分岐管５２を起点に可動可能となり、使い易くなる。
【００３１】
以上からなるフレーム１０は、上フレーム２０と中フレーム３０とを連結すると上縦桟２３、中縦桟３３、下縦桟３４がＹ方向に一直線に並び、前面に上横桟２２、下横桟３２、上縦桟２３、中縦桟３３により矩形の枠１５が形成される。この枠１５は、標示シート６０が取付けられるシート取付部１１となる部分であり、内寸法は標示シート６０の寸法と略同一である。下フレーム４０は、シート取付部１１を起立状態に保持する支持部１１として作用する。
【００３２】
フレーム１０を使用する際は、下フレーム４０に設けられた嵌合枠４３がコーン１００に嵌り込むように、また係止アーム５０の鈎部５５がコーン１００の頂部の凹部１１０に嵌り込むようにコーン１００に係止させる。この状態で下フレーム４０の底部がコーン１００のベッド１２０の上に載り、下フレーム４０は略水平となり、上フレーム２０及び中フレーム３０はほぼ鉛直に起立する。
【００３３】
図７は、本考案の第２実施形態の標示装置２の正面図、図８は、本考案の第２実施形態の標示装置２を正面側から見た斜視図、図９は、本考案の第２実施形態の標示装置２を背面側から見た斜視図、図１０は、本考案の第２実施形態の標示装置２の分解図、図１１は、本考案の第２実施形態の標示装置２を分解し持ち運ぶ様子を示す図である。
【００３４】
本考案の第２実施形態の標示装置２は、図１から図６に示した支持具１と、標示シート６０とからなる。
【００３５】
標示シート６０は、メッシュ状の生地からなる折り畳み可能な縦長のシートであり、前面に標示が付されている。標示シート６０は、メッシュ状のものに限定されるものではないが、風による転倒・移動を防止する点においてメッシュ状シートは好ましい。また標示シート６０は、折り畳み、又は丸めることができるものが好ましい。このような標示シート６０は、運搬・保管が容易である。
【００３６】
標示シート６０は、外周縁に紐７０又はフック７２を通すための、ハトメが取付けられた孔６２が複数設けられている。標示シート６０は、上部に設けられた孔６２をフレーム１０の上横桟２２に取付けられたフック７２に引っ掛け、他の孔６２に紐７０を通し、フレーム１０のシート取付部１１に固定される。
【００３７】
以上からなる標示装置２の大きさの一例を示せば、全高が１６５０ｍｍ、シート取付部１１の長さが１４００ｍｍ、幅が３００ｍｍ、下フレーム４０の大きさが４００ｍ×３００ｍｍ、嵌合枠４２の大きさが３００ｍｍ×３００ｍｍである。支持具１のパイプには外径２６ｍｍ、内径２２ｍｍの硬質ビニル電線管を好適に使用することができる。
【００３８】
標示装置２の使用方法を示す。但し、標示装置２の使用方法は、これに限定されるものでなない。フレーム１０を上フレーム２０、中フレーム３０、下フレーム４０に分解し、係止アーム５０を回動させ中縦桟３３と平行にする。これらフレーム１０と、折り畳まれた標示シート６０とを設置場所に運ぶ。設置場所において、中フレーム３０を下フレーム４０に差込み連結させた後、嵌合枠４３をコーン１００に嵌め入れる。さらに係止アーム５０の鉤部５５をコーン１００の頂部の凹部１１０に嵌め入れる。
【００３９】
嵌合枠４３をコーン１００に嵌め入れると下フレーム４０は、底面をコーン１００のベッド１２０の上面に接触させた状態でコーン１００の下部１０５に嵌り込む。下フレーム４０は、前方が下方に突出し、嵌合枠４３が下フレーム４０の下端からコーン１００のベッド１２０の厚さと同じ高さに取付けられているため、水平面に置かれたコーン１００に下フレーム４０を嵌め入れると、中フレーム３０は略鉛直方向（Ｙ方向）に起立する。
【００４０】
中フレーム３０に上フレーム２０を差し込み、シート取付部１１に標示シート６０を固定する。これにより標示装置２の組み立てが完成し、以降、通常の立て看板等と同様に使用する。標示装置２を撤収する場合は、標示シート６０をフレーム１０から外し、フレーム１０を分解すればよい。
【００４１】
以上のように本考案に係る支持具は、コンパクトに分解可能であり、また軽量であるので持ち運び、保管、車両への積み込みが容易である。また本考案に係る標示装置は、標示シートも軽量であり、さらには折り畳み可能なため持ち運び、保管、車両への積み込みが容易である。本考案に係る標示装置は、基本的にコーンに係止させて使用するので安定的に使用することができる。さらに標示シートにメッシュ状のものを使用すれば風に対しても強い。
【００４２】
本考案に係る支持具及び標示装置は、上記実施形態に限定されるものではなく、要旨を変更しない範囲で変更することができる。例えば上記実施形態では、フレーム１０をパイプと管継手とで形成するが、樹脂材料、金属材料を用いて上フレーム２０、中フレーム３０、下フレーム４０をそれぞれ一体的に成形してもよい。
【００４３】
第１実施形態に示す上フレーム２０は、上横桟２２と上縦桟２３とがエルボを介して連結され、さらにその連結部は接着されているが、上縦桟２３をエルボに差し込み連結させてもよい。上フレーム２０の垂直部の長さを変更可能に構成すれば、長さの異なる上縦桟２３を使用することでシート取付部１１の高さを変更することができ、種々の大きさの標示シート６０を取付け使用することができる。
【００４４】
第１実施形態に示す支持具１、それを使用した第２実施形態の標示装置２では、シート取付部１１がほぼ鉛直方向に起立するが、シート取付部１１の起立方向は鉛直方向に限定されるものではなく傾斜していてもよい。この場合も支持部１３が、傾斜したシート取付部１１を起立状態に保持する。
【００４５】
第２実施形態に示す標示シート６０は、折り畳み可能な形態からなるが、薄いプラスチックシートのように丸めることができるものであってもよい。このような形態の標示シートも持ち運び、保管、車両への積み込みが容易となり好ましい。
【００４６】
以上のとおり、図面を参照しながら好適な実施形態を説明したが、当業者であれば、本明細書を見て、自明な範囲内で種々の変更及び修正を容易に想定するであろう。従って、そのような変更及び修正は、請求の範囲から定まる考案の範囲内のものと解釈される。
【符号の説明】
【００４７】
１  支持具
２  標示装置
１０  フレーム
１１  シート取付部
１３  支持部
２０  上フレーム
３０  中フレーム
３６  Ｔ字管
４０  下フレーム
４１  脚
４３  嵌合枠
４６  Ｔ字管
５０  係止アーム
５２  分岐管
６０  標示シート
６２  孔
７０  紐
７２  フック
１００  コーン
１０５  下部
１１０  凹部
１２０  ベッド
【図１】
0003231708.tif 000003
【図２】
0003231708.tif 000004
【図３】
0003231708.tif 000005
【図４】
0003231708.tif 000006
【図５】
0003231708.tif 000007
【図６】
0003231708.tif 000008
【図７】
0003231708.tif 000009
【図８】
0003231708.tif 000010
【図９】
0003231708.tif 000011
【図１０】
0003231708.tif 000012
【図１１】
0003231708.tif 000013